(57)【要約】【課題】  畝間が狭い茶樹畝でも機体を容易にコントロールすることができるようにする。【解決手段】  本発明の茶樹畝用スクリーン巻取機１によれば、茶樹畝Ｕの両側をそれぞれ走行する一対の車輪３により支持されており、該茶樹畝Ｕを跨ぐ門型に形成された機体２を備え、該機体２には、茶樹畝Ｕの上方において、畝幅方向に延びる中心軸周りに回転自在に巻取軸４が支持されている。機体２は、茶樹畝Ｕに沿って走行するときの走行姿勢において、巻取軸４の前記中心軸が車輪３の中心軸の略上方に位置するように構成されるとともに、巻取軸４の前方における茶樹Ｔの上面と略等しい高さに配設された傾倒防止部２０を備えている。該傾倒防止部２０は、前記走行姿勢において、茶樹Ｔの上面に対して略面接触することにより該茶樹Ｔの上面に載上可能に構成されている。【選択図】      図１
2010119367.tif 000002
【特許請求の範囲】
【請求項１】
茶樹畝の両側をそれぞれ走行する一対の車輪により支持されており、該茶樹畝を跨ぐ門型に形成された機体を備え、
該機体には、前記茶樹畝の上方において、畝幅方向に延びる中心軸周りに回転自在に巻取軸が支持された茶樹畝用スクリーン巻取機であって、
前記機体は、前記茶樹畝に沿って走行するときの走行姿勢において、前記巻取軸の前記中心軸が前記車輪の中心軸の略上方に位置するように構成されるとともに、前記巻取軸の前方又は／及び後方における茶樹の上面と略等しい高さに配設された傾倒防止部を備え、
該傾倒防止部は、前記走行姿勢において、茶樹の上面に対して略面接触することにより該茶樹の上面に載上可能に構成された茶樹畝用スクリーン巻取機。
【請求項２】
前記機体は、前記巻取軸の前方に、該巻取軸と平行に延びるガイドバーを備え、
該ガイドバーには、一対のガイド部材が該ガイドバーの長手方向に互いに間隔をおいて配設され、
該ガイド部材同士の間隔は、巻取対象のスクリーンの幅よりも狭く設定されており、
前記スクリーンは、該ガイドバーの上側における両ガイド部材の間を経由して前記巻取軸に巻き取られるように構成された請求項１記載の茶樹畝用スクリーン巻取機。
【請求項３】
前記巻取軸を回転駆動する駆動部が前記機体に装備された請求項１又は２記載の茶樹畝用スクリーン巻取機。
【請求項４】
前記巻取軸及び前記駆動部は、前記機体に着脱可能に構成された請求項３記載の茶樹畝用スクリーン巻取機。
【発明の詳細な説明】
【技術分野】
【０００１】
本発明は、茶樹畝に栽培された茶樹の上部にスクリーンを張り込んだり、茶樹の上部からスクリーンを巻き取ったりするためのスクリーン巻取機に関するものである。
【背景技術】
【０００２】
第一の背景技術として、特許文献１記載のシート巻き取り機を例示する。このシート巻き取り機は、作業者が背負って移動可能なエンジンと、エンジンに連結されたフレキシブルシャフトと、フレキシブルシャフトの先端部に設けられた連結軸と、連結軸に着脱可能に装着されるシート巻き取り軸など備えているが、車輪を備えていない。ネットの端部をシート巻き取り軸に係止し、シート巻取軸を茶樹の上に載せるとともに、作業者がシート巻取軸に装着された支持バー及び取っ手を持った状態で、エンジンを作動させることで、ネットを巻き取ることができるようにしている。
【０００３】
第二の背景技術として、特許文献２記載の菊栽培用の巻取り機を例示する。この巻取り機は、図７に示すように、横方向に長いコ字状支持枠杆５１の一端側にはエンジンＥよりフレキシブル伝動軸６６を介して伝動できる減速機（図示略）を、他端側にはメタル（図示略）をそれぞれ固設し、前記減速機とメタルとの間には、長い菊栽培用網Ａを巻装できる巻取りドラム５４を着脱可能に軸架し、前記支持枠杆５１の下方側に延出する両側の両支杆６０、６０の下端部には接地輪５６をそれぞれ軸架するとともに、前記支持枠杆５１の上方側にはハンドル杆５７を延設して、手押し式で操作可能に構成している。
【０００４】
【特許文献１】特開２００２−１７１８４４号公報
【特許文献２】実公平６−４７２５１号公報
【発明の開示】
【発明が解決しようとする課題】
【０００５】
ところが、第一の背景技術のシート巻き取り機は、車輪を備えておらず、作業者がエンジンを背負っているので作業者の負担が大きいという課題がある。また、シート巻取軸を茶樹畝の上に載せた状態で作業を行うので、シート巻き取り軸及び該軸に巻き取られたシートのほぼ全重量が茶樹の上に掛かり、茶樹やその芽を傷めることがあるという課題もある。
【０００６】
また、第二の背景技術の巻取り機のように２輪の走行車輪を装備させると、機体が前後方向に不安定になるという課題がある。特に、茶樹畝にスクリーンを張り込んだり、茶樹畝からスクリーンを剥いで巻き取ったりする場合は、同背景技術における菊栽培用の畝とは異なり、背の高い茶樹が畝に生えており、作業者が畝を跨いで作業することが不可能なので、同背景技術に記載されているような２輪の走行車輪で支持された機体であって、一人の作業者が操作する構成を採用することができない。
【０００７】
そこで、走行車輪を３輪以上にすることも考えられるが、そうすると栽培効率向上のため畝間が狭く形成された茶樹畝では、車輪が茶樹に引っ掛かり、機体コントロールが難しかったり、茶樹を傷めたりすることがあるという課題がある。さらに、走行車輪の数が増えると、それに伴って機体が大型化し小回りが利かなくなるという課題もある。
【課題を解決するための手段】
【０００８】
上記課題を解決するために、第１の発明の茶樹用スクリーン巻取機は、
茶樹畝の両側をそれぞれ走行する一対の車輪により支持されており、該茶樹畝を跨ぐ門型に形成された機体を備え、
該機体には、前記茶樹畝の上方において、畝幅方向に延びる中心軸周りに回転自在に巻取軸が支持された茶樹畝用スクリーン巻取機であって、
前記機体は、前記茶樹畝に沿って走行するときの走行姿勢において、前記巻取軸の前記中心軸が前記車輪の中心軸の略上方に位置するように構成されるとともに、前記巻取軸の前方又は／及び後方における茶樹の上面と略等しい高さに配設された傾倒防止部を備え、
該傾倒防止部は、前記走行姿勢において、茶樹の上面に対して略面接触することにより該茶樹の上面に載上可能に構成されている。
【０００９】
この構成によれば、前記一対の車輪により前記機体が支持されるように構成されているので、前記茶樹畝に沿っての走行時に前記機体が茶樹の枝などに引っ掛かっても、２輪なので前記機体のコントロールが容易であり、簡単に枝絡みから脱出できる。また、同じく２輪なので牽引抵抗が少なくなり、少ない力で移動できる。また、前記巻取軸の前記中心軸が前記車輪の中心軸の略上方に位置するように構成されているので、前後バランスに優れ、取り扱いが容易である。しかも、前記走行姿勢において、茶樹の上面に対して略面接触することにより該茶樹の上面に載上可能に構成された傾倒防止部を備えているので、茶樹畝での作業中に作業者が前記機体を放しても茶樹を傷めることなく前記走行姿勢が保てる。
【００１０】
また、第２の発明の茶樹畝用スクリーン巻取機は、第１の発明において、
前記機体は、前記巻取軸の前方に、該巻取軸と平行に延びるガイドバーを備え、
該ガイドバーには、一対のガイド部材が該ガイドバーの長手方向に互いに間隔をおいて配設され、
該ガイド部材同士の間隔は、巻取対象のスクリーンの幅よりも狭く設定されており、
前記スクリーンは、該ガイドバーの上側における両ガイド部材の間を経由して前記巻取軸に巻き取られるように構成された態様を例示する。
【００１１】
この構成によれば、スクリーンの両縁を折り返した状態で前記巻取軸に巻き取らせるときに、前記ガイド部材同士の間隔が、該折り返した状態におけるスクリーンの幅と等しくなるようにしておくことにより、該折り返した状態におけるスクリーンの幅を一定に保つことができる。
【００１２】
また、第３の発明の茶樹畝用スクリーン巻取機は、第１又は２の発明において、
前記巻取軸を回転駆動する駆動部が前記機体に装備された態様を例示する。
【００１３】
この構成によれば、前記巻取軸が前記駆動部によって駆動されるので、作業者の負担を軽減することができる。
【００１４】
また、第４の発明の茶樹畝用スクリーン巻取機は、第３の発明において、
前記巻取軸及び前記駆動部は、前記機体に着脱可能に構成された態様を例示する。
【００１５】
この構成によれば、前記巻取軸及び前記駆動部が着脱可能に構成されているので、前記駆動部及び前記巻取軸を前記機体から取り外し、該巻取軸の一端側に駆動部を連結するとともに、前記巻取軸の他端側を回転自在に支持する軸支部を、該他端側に装着すれば、前記機体に装備された状態では作業が困難な場所でも、スクリーンを張り込んだり巻き取ったりする作業を行うことができる。
【発明の効果】
【００１６】
本発明に係る茶樹畝用スクリーン巻取機によれば、畝間が狭い茶樹畝でも機体を容易にコントロールすることができるという優れた効果を奏する。
【発明を実施するための最良の形態】
【００１７】
図１〜図６は本発明を具体化した一実施形態の茶樹畝用スクリーン巻取機１を示しており、各図において矢印Ｆは機体前側を指し示している。図１〜図３に示すように、このスクリーン巻取機１は、茶樹畝Ｕの両側をそれぞれ走行する一対の車輪３により支持された機体２を備え、該機体２には、スクリーンＳを巻き取るための巻取軸４と、該巻取軸４を回転駆動するための駆動部５とが着脱可能に搭載されている。
【００１８】
スクリーンＳは、茶葉の摘採前の数日間、遮光の目的で茶樹Ｔを被覆するために、茶樹畝Ｕの長手方向に沿って連続的に敷設され使用されるものであり、幅約２ｍ、長さ数十ｍの長尺ネットとなっている。スクリーンＳは、ロール状に巻き取られた状態で保管され、茶樹Ｔの被覆時に該ロールから繰り出されて使用される。風雨等によるスクリーンＳの飛散等を防止するため、スクリーンＳには、その幅方向の両縁に、スクリーンＳの幅方向へ数ｍ程度の間隔で１０ｃｍ程度の紐Ｒを介してクリップＣが取り付けられ、このクリップＣによりスクリーンＳが茶樹Ｔに装着される。この紐Ｒ及びクリップＣはスクリーンＳの初回使用時にスクリーンＳに取り付けられ、それ以降はスクリーンＳに取り付けられたままの状態で保管されたり、使用されたりする。
【００１９】
機体２は、上下に延びる左右一対の脚フレーム１０と、該両脚フレーム１０の上部を連結する横フレーム１１とにより、茶樹畝Ｕを跨ぐ門型に形成されている。機体２における左右方向に延びる部位としての横フレーム１１は、各種の畝幅に適応可能にするため、入れ子状の構造により長さ調節可能に構成されている。脚フレーム１０の下端部には、それぞれ車輪３が回転自在に軸支されている。機体２の上部には、機体２前方に向けてハンドル１２が突設されている。機体２の上部における左右両側には、それぞれ軸支持部１３が立設されており、該両軸支持部１３の上端にそれぞれ設けられた凹部に、巻取軸４が回転自在かつ着脱自在に支持されている。機体２の上部における左右いずれか一側部（本例では、図３における右側部）には、駆動部５が着脱可能に装備されるとともに、該駆動部５の出力軸に巻取軸４の一端部が着脱可能かつ相対回転不可能に連結されている。また、巻取軸４とハンドル１２の横方向に延びる部位との間には、巻取軸４と略等しい高さ位置（本例ではやや高い位置）に、ガイドバー１５が回転自在に支持されている。 本例のガイドバー１５は、左右の軸支持部１３からそれぞれ前方へ突設されたバー支持部１６により、その回転軸が巻取軸４と平行になるように支持されている。また、左右の軸支持部１３には、それぞれ予備軸支持部１７が後方へ突設されており、該両予備軸支持部１７により、予備の巻取軸４の両端側がそれぞれ支持されるようになっている。
【００２０】
ハンドル１２は、略コ字状に形成されており、その両端部がそれぞれ横フレーム１１の両端部に支持されている。ハンドル１２における左右方向へ延びる部位には、傾倒防止部２０が設けられている。ハンドル１２における左右方向に延びる部位及び同前後方向に延びる部位は、機体２における左右方向に延びる部位と同様の構造により、それぞれ長さ調節可能に構成されている。
【００２１】
傾倒防止部２０は、茶樹畝Ｕに沿って走行するときの走行姿勢において、巻取軸４の中心軸が車輪３の中心軸の略上方に位置するように構成されるとともに、巻取軸４の前方（後方とすることも可能）における茶樹Ｔの上面と略等しい高さに配設されている。本例の傾倒防止部２０は、前記走行姿勢において、茶樹Ｔの上面に対して下面が略面接触することにより該茶樹Ｔの上面に載上可能な板状に形成されている。傾倒防止部２０の前後の下側縁部は、茶葉への引っ掛かりを防止するために、上方へ反るように湾曲形成されている。傾倒防止部２０は、ハンドル１２における横方向に延びる部位に対し、同部位を軸として回動可能に支持されている。傾倒防止部２０の下面における茶樹の上面に面接触する部位としては、特に限定されないが、巻取軸４及び予備の巻取軸４の両方にスクリーンＳが巻き取られた状態において、茶樹畝で作業者が機体２を放すことにより、機械の重量が傾倒防止部２０を介して茶樹に掛かったときに、傾倒防止部２０が茶樹に沈み込むことがない程度に十分な面積を有するように形成することが好ましい。
【００２２】
ガイドバー１５には、一対のガイド部材としてのガイド盤２５が該ガイドバー１５の長手方向に互いに間隔をおいて配設されている。ガイド盤２５同士の間隔は、調節可能に構成されており、巻取対象のスクリーンＳの幅よりも狭く設定されている。ガイド盤２５におけるスクリーン側の面は、盤面の縁側になるほど薄肉とされたテーパー状に形成されている。スクリーンＳは、該ガイドバー１５の上側における両ガイド盤２５の間を経由して巻取軸４に巻き取られるように構成されている。本発明のスクリーン巻取機１は、図４に示すように、スクリーンＳの巻取時に、スクリーンＳの幅方向の両縁部を下側に折り返すようにしている。こうすると、前記両縁部に取り付けられた紐Ｒ及びクリップＣをスクリーンＳのロールに巻き込み易くなるからである。このとき、ガイドバー１５及びガイド盤２５は、両縁部を折り返した状態におけるスクリーンＳの幅が一定になるようにガイドする。各縁部の折り返しの幅としては、クリップＣがスクリーンＳのロールの端部から露出しないように、クリップＣの先端から該クリップＣに取り付けられた紐Ｒの先端までの長さ以上とすることが好ましい。この巻取方法によれば、巻取後のスクリーンＳのロールの端部から多数の紐Ｒ及びクリップＣが垂れ下がった状態となることがない。このため、多数の紐Ｒ及びクリップＣが互いに絡まることがないので、次回にスクリーンＳを張り込むときにスムーズに作業することができる。
【００２３】
巻取軸４において、スクリーンＳの両縁部がそれぞれ巻き取られる部位の周面には、軟質に形成されたカラー２２が装備されている（図４（ｂ）参照）。このカラー２２としては、ゴム、軟質樹脂、スポンジ等で形成した態様を例示する。このカラー２２は、スクリーンＳの巻始めのところにあるクリップＣ及び紐Ｒが巻取軸４の周面で滑ることを防止し、スクリーンＳをスムーズに巻始めることができるようにするためのものである。また、カラー２２は、クリップＣの破損を防止する効果も奏する。
【００２４】
駆動部５は、本例では動力源として電池を電源とするモータ（図示略）を採用している。駆動部５は、箱状の筐体を備え、該筐体には手提げハンドル２７が設けられている。筐体内には、モータ、電源、及びモータ駆動回路等（いずれも図示略）が内蔵されている。また、本例では、駆動部５の動作を操縦するためのアクセルレバー２９が、筐体及びハンドル１２にそれぞれ設けられている。また、本例では、ハンドル１２に設けられたアクセルレバー２９と駆動部５は、前記筐体に設けられたコネクタ（図示略）を介して信号ケーブルで接続されており、後述する第二の使用方法のように駆動部５を機体２から取り外して使用する場合には該コネクタのところで切り離すようになっている。
【００２５】
次に、本スクリーン巻取機１の３種類の使用方法について説明する。
【００２６】
第一の使用方法は、本機を茶樹畝Ｕの長手方向に走行させながら、スクリーンＳを茶樹畝Ｕに張り込んだり、スクリーンＳを茶樹畝Ｕから剥ぎながら巻き取ったりするときの使用方法である。スクリーンＳを茶樹畝Ｕに張り込むときは、機体２から駆動部５を取り外し、左右の軸支持部１３及び左右の予備軸支持部１７に、スクリーンＳが巻かれた状態の２本の巻取軸４をそれぞれ支持させた状態にしておく。そして、作業者が機体２の両側にそれぞれ位置し、スクリーンＳを張り込んで行く方向へ機体後方を向け、機体２に茶樹畝Ｕを跨がせた走行状態にする。そして、軸支持部１３に支持された巻取軸４からスクリーンＳの長手方向端部を引き出して、ガイドバー１５の上側を経由させて茶樹畝ＵにクリップＣで固定する。次いで、作業者が手押しで機体２を茶樹畝Ｕに沿って機体後方へ走行させると、その走行に伴って巻取軸４からスクリーンＳが引き出され、茶樹畝Ｕに張り込まれて行く。このとき、各作業者は、このように機体２を走行させると同時にスクリーンＳの幅方向の両縁に取り付けられたクリップＣを茶樹Ｔに装着するようにしてもよいし、別の作業者がクリップＣを茶樹畝Ｕに装着するようにしてもよい。そして、軸支持部１３に支持された巻取軸４のスクリーンＳの張り込みが終了すると、該巻取軸４を予備軸支持部１７のものと交換し、作業を継続してゆく。
【００２７】
また、スクリーンＳを茶樹畝Ｕから剥ぎながら巻き取るときは、機体２に駆動部５を装着し、左右の軸支持部１３及び左右の予備軸支持部１７に、スクリーンＳが巻かれてない２本の巻取軸４をそれぞれ支持させた状態にするとともに、軸支持部１３に支持させる巻取軸４を駆動部５に連結しておく。そして、作業者が機体２の両側にそれぞれ位置し、スクリーンＳを剥ぎながら巻き取って行く方向へ機体前方を向け、機体２に茶樹畝Ｕを跨がせた走行状態にする。そして、茶樹畝Ｕに張り込まれたスクリーンＳの長手方向端部を剥ぎ取り、ガイドバー１５の上側を経由させて軸支持部１３に支持された巻取軸４に固定する。次いで、作業者が駆動部５のアクセルレバー２９を操作して駆動部５に巻取軸４を回転駆動させるとともに、手押しで機体２を茶樹畝Ｕに沿って機体前方へ走行させると、その走行に伴って茶樹畝ＵからスクリーンＳが剥がされるとともに、巻取軸４に巻き取られて行く。このとき、各作業者は、機体２を走行させると同時に、スクリーンＳが剥がされる前に、スクリーンＳの幅方向の両縁に取り付けられたクリップＣを茶樹Ｔから順次取り外すようにしてもよいし、別の作業者がクリップＣを茶樹畝Ｕから取り外すようにしてもよい。そして、軸支持部１３に支持された巻取軸４へのスクリーンＳの巻き取りが終了すると、該巻取軸４を予備軸支持部１７のものと交換し、作業を継続してゆく。
【００２８】
第二の使用方法は、図５に示すように、駆動部５及び巻取軸４を機体２から取り外し、該巻取軸４の一端側に駆動部５を連結するとともに、巻取軸４の他端側を回転自在に支持する筒状の軸支部３０を、該他端側に装着した状態で使用する方法である。この方法では、作業者が巻取軸４の両側にそれぞれ位置し、駆動部側の作業者が駆動部５の手提げハンドル２７を持ち、他方の作業者が軸支部３０を持って、巻取軸４が茶樹畝Ｕの上側において畝幅方向に延びるように支持する。この状態で、第一の使用方法と同様に、スクリーンＳを茶樹畝Ｕに張り込んだり、スクリーンＳを茶樹畝Ｕから剥ぎながら巻き取ったりすることができる。
【００２９】
第三の使用方法は、図６に示すように、第一の使用方法と同様の構成で、茶樹畝Ｕの長手方向一端側等の地面に機械を定置した状態で使用する方法である。この方法では、機体２をハンドル側に傾倒させることにより、傾倒防止部２０を接地させる。この状態で、軸支持部１３に支持された巻取軸４にスクリーンＳを巻き取ったり、軸支持部１３に支持された巻取軸４からスクリーンＳを引き出したりすることができる。スクリーンＳの巻き取り又は引き出しは、機体２の前側又は後側のいずれからでも可能である。なお、図示例では、傾倒防止部２０の下面を接地させているが、傾倒防止部２０を回動させ、その上面側を接地させるようにしてもよい。
【００３０】
以上のように構成された本例の茶樹畝用スクリーン巻取機１によれば、一対の車輪３により機体２が支持されるように構成されているので、茶樹畝Ｕに沿っての走行時に機体２が茶樹Ｔの枝などに引っ掛かっても、２輪なので機体２のコントロールが容易であり、簡単に枝絡みから脱出できる。また、同じく２輪なので牽引抵抗が少なくなり、少ない力で移動できる。また、巻取軸４の中心軸が車輪３の中心軸の略上方に位置するように構成されているので、前後バランスに優れ、取り扱いが容易である。しかも、前記走行姿勢において、茶樹Ｔの上面に対して略面接触することにより該茶樹Ｔの上面に載上可能に構成された傾倒防止部２０を備えているので、茶樹畝Ｕでの作業中に作業者が機体２を放しても茶樹Ｔを傷めることなく前記走行姿勢が保てる。
【００３１】
ガイドバー１５には、一対のガイド部材としてのガイド盤２５が該ガイドバー１５の長手方向に互いに間隔をおいて配設され、該ガイド盤２５同士の間隔は、巻取対象のスクリーンＳの幅よりも狭く設定されており、スクリーンＳは、該ガイドバー１５の上側における両ガイド盤２５の間を経由して巻取軸４に巻き取られるように構成されているので、スクリーンＳの両縁を折り返した状態で巻取軸４に巻き取らせるときに、ガイド盤２５同士の間隔が、該折り返した状態におけるスクリーンＳの幅と等しくなるようにしておくことにより、該折り返した状態におけるスクリーンＳの幅を一定に保つことができる。
【００３２】
また、巻取軸４が駆動部５によって駆動されるので、作業者の負担を軽減することができる。
【００３３】
また、巻取軸４及び駆動部５が着脱可能に構成されているので、前記第二の使用方法で説明したように、駆動部５及び巻取軸４を機体２から取り外し、該巻取軸４の一端側に駆動部５を連結するとともに、巻取軸４の他端側を回転自在に支持する軸支部を、該他端側に装着すれば、機体２に装備された状態では作業が困難な場所でも、スクリーンＳを張り込んだり巻き取ったりする作業を行うことができる。
【００３４】
なお、本発明は前記実施形態に限定されるものではなく、例えば以下のように、発明の趣旨から逸脱しない範囲で適宜変更して具体化することもできる。
（１）傾倒防止部２０の形状を適宜変更すること。例えば、前後方向に延びるソリ状に形成することを例示する。
（２）傾倒防止部２０を、巻取軸４の後方のみ、又は、前方と後方の両方に配設すること。
（３）駆動部５の動力源としてエンジンを採用すること。
【図面の簡単な説明】
【００３５】
【図１】本発明を具体化した一実施形態に係る茶樹畝用スクリーン巻取機の側面図である。
【図２】同巻取機の平面図である。
【図３】同巻取機の背面図である。
【図４】同巻取機の巻取軸へのスクリーンの巻取方法を示す図であり、（ａ）は斜視図であり、（ｂ）は背面図である。
【図５】同巻取機の第二の使用方法を示す図であり、（ａ）は平面図であり、（ｂ）は背面図である。
【図６】同巻取機の第三の使用方法を示す図であり、（ａ）はスクリーンの巻き取り又は引き出しを機体前側から行っている態様を示し、（ｂ）はこれを機体後側から行っている態様を示している。
【図７】背景技術に係る菊栽培用の巻取機の側面図である。
【符号の説明】
【００３６】
１  茶樹畝用スクリーン巻取機
２  機体
３  車輪
４  巻取軸
５  駆動部
１０  脚フレーム
１１  横フレーム
１２  ハンドル
１３  軸支持部
１５  ガイドバー
１６  バー支持部
１７  予備軸支持部
２０  傾倒防止部
２２  カラー
２５  ガイド盤
２７  手提げハンドル
２９  アクセルレバー
３０  軸支部
Ｃ    クリップ
Ｒ    紐
Ｓ    スクリーン
Ｔ    茶樹
Ｕ    茶樹畝
【図１】
2010119367.tif 000003
【図２】
2010119367.tif 000004
【図３】
2010119367.tif 000005
【図４】
2010119367.tif 000006
【図５】
2010119367.tif 000007
【図６】
2010119367.tif 000008
【図７】
2010119367.tif 000009